(57)【特許請求の範囲】
【請求項１】
携帯通信端末を着脱自在に支持する端末支持台部を有するとともに、音声信号増幅回路を内蔵した装置本体と、この装置本体に内蔵され、携帯通信端末が前記端末支持台部に支持されたときにその送話口と対向する内部スピーカと、同じく装置本体に内蔵され、携帯通信端末が端末支持台部に支持されたときにその受話口と対向する内部マイクロホンと、装置本体の外部に設けられ、前記音声信号増幅回路を介して前記内部スピーカに接続される外部マイクロホンと、同じく装置本体の外部に設けられ、音声信号増幅回路を介して前記内部マイクロホンに接続される外部スピーカとを備えたハンズフリー通話装置において、前記装置本体が２つの本体に分割されて、これら２つの本体が間隔調整可能に連結され、これら本体に前記内部スピーカと前記内部マイクロホンとが分けて内蔵されているとともに、内部スピーカと内部マイクロホンの通音口をそれぞれ開閉自在に覆い、開いたときに前記端末支持台部となる開閉台板が、分割された２つの本体にそれぞれ装着されていることを特徴とするハンズフリー通話装置。
【請求項２】
分割された２つの本体が間隔調整ネジで連結されていることを特徴とする請求項１に記載のハンズフリー通話装置。
【請求項３】
一方の本体に音声信号増幅回路が内蔵され、この音声信号増幅回路に外部マイクロホンと外部スピーカとが接続コードを介して接続されることを特徴とする請求項１又は２に記載のハンズフリー通話装置。
【請求項４】
内部スピーカの通音口及び内部マイクロホンの通音口のそれぞれの回りに、弾性パッドを設けたことを特徴とする請求項１、２又は３に記載のハンズフリー通話装置。
【請求項５】
外部スピーカと外部マイクロホンとが、イヤホンと小型マイクロホンとをセットにしたイヤホンマイクセットである請求項１、２、３又は４に記載のハンズフリー通話装置。
【発明の詳細な説明】
【０００１】
【発明の属する技術分野】
本発明は、携帯電話機などの通話機能を有する携帯通信端末のためのハンズフリー通話装置に関する。
【０００２】
【従来の技術】
携帯電話機の急激な普及に伴い、自動車の運転操作をしながら片手運転で携帯電話機を使用して事故を起こす例が急増し、その防止のために、車内で使用する携帯電話用ハンズフリー通話装置が提供されている。
【０００３】
例えば、特開平１０−２４３０７２号公報に記載のものでは、携帯電話機を収容するカップ状の筐体（装置本体）内に、マイクロホン及びスピーカの他に、携帯電話機と電気接続するハーネス、携帯電話機をポップアップする圧縮コイルバネ、リミットスイッチを設置し、携帯電話機が圧縮コイルバネでポップアップされたことをリミットスイッチで検出して、このときのみ電池電源をオンとすることにより、筐体内のマイクロホンとスピーカにてハンズフリーの通話ができるようになっている。
【０００４】
また、特開平１１−１７７９３号公報に記載のものでは、スピーカを内蔵した装置本体にマイクロホンジャック及び電話機用ジャックを備え、マイクロホンジャックに外部マイクロホンを接続するとともに、電話機用ジャックにケーブルを介して携帯電話機を接続し、装置本体内のスピーカと外側に接続した外部マイクロホンにてハンズフリーの通話ができるようになっている。
【０００５】
更に、図５に示す従来例では、ハンズフリー通話装置の本体１０１の上面に、携帯電話機１０２を着脱自在に保持する電話機受け部１０３を形成し、携帯電話機１０２の端子カバー１０４を開けて、本体１０１側のコイル状接続コード１０５の先端のプラグ１０６を携帯電話機１０２の入出力ジャック（入出力端子）と接続することにより、本体１０１側のスピーカとマイクロホン（図示せず）により、ハンズフリーの通話ができるようになっている。
【０００６】
このようなものを含めて従来のハンズフリー通話装置は、必ず携帯電話機の入出力端子を介して、携帯電話機を装置本体に電気的に接続する方法が採用されていた。
【０００７】
【発明が解決しようとする課題】
しかしながら、このように電気的に接続して使用する方法では、携帯電話機とハンズフリー通話装置との接続を使用毎、例えば自動車の乗り降りをするたびに行う必要がある。そのため、使用者は、ハンズフリー通話装置が存在していても、接続の煩わしさから実際に使用しない場合が少なくない。このため、従来のハンズフリー通話装置は、実用上、有効に活用されているとは言い難い。
【０００８】
一方、他の従来技術として、マイクロホンの感度とスピーカ音量を上げる回路を携帯電話機内部に組み込むことで、ハンズフリー通話を可能としたものもある。この従来技術は、携帯電話機に割り当てられたスイッチで切り替えることで、ハンズフリー機能をオン・オフするので、接続の煩わしさがないことでは、一応の効果を奏している。
【０００９】
しかし、実使用において、携帯電話機自体のマイクロホンでは、使用者の離れたところからの音声が入力されにくいという問題がある。この問題を解決するために、音声信号の入出力レベルを上げると、ハウリング現象が発生してしまうという新たな問題が生じ、ハンズフリー通話ができない場合もある。
【００１０】
本発明の目的は、ハンズフリー通話装置と携帯電話機とを接続する煩わしさがなく、かつ安定した通話を可能にしたハンズフリー通話装置を提供することにある。
【００１１】
本発明の他の目的は、多様となっている携帯電話機の本体形状や入出力端子の形状やピン配置等に限定されることなく、共通して簡便に使用できるハンズフリー通話装置を提供することにある。
【００１２】
【課題を解決するための手段】
本発明のハンズフリー通話装置は、その基本構成として、図１にブロック図にして示すように、携帯通信端末１を着脱自在に支持する端末支持台部２５Ａ・２５Ｂを有するとともに、音声信号増幅回路を内蔵した装置本体１０と、この装置本体１０に内蔵され、携帯通信端末１が端末支持台部２５Ａ・２５Ｂに支持されたときにその送話口８と対向する内部スピーカ２０と、同じく装置本体１０に内蔵され、携帯通信端末１が端末支持台部２５Ａ・２５Ｂに支持されたときにその受話口７と対向する内部マイクロホン２１と、装置本体１の外部に設けられ、音声信号増幅回路１２を介して内部スピーカ２０に接続される外部マイクロホン１５と、同じく装置本体１０の外部に設けられ、音声信号増幅回路１２を介して内部マイクロホン２１に接続される外部スピーカ１４とを備えている。
【００１３】
このような基本構成を前提として、本願発明は、装置本体が２つの本体に分割されて、これら２つの本体が間隔調整可能に連結され、これら本体に内部スピーカと内部マイクロホンとが分けて内蔵されているとともに、内部スピーカと内部マイクロホンの通音口をそれぞれ開閉自在に覆い、開いたときに端末支持台部となる開閉台板が、分割された２つの本体にそれぞれ装着されていることを特徴とする。
【００１４】
その実施形態として、分割された２つの本体は、間隔調整ネジで連結されている。
【００１５】
一方の本体に音声信号増幅回路が内蔵され、この音声信号増幅回路に外部マイクロホンと外部スピーカとが接続コードを介して接続される形態にすることができる。
【００１６】
内部スピーカの通音口及び内部マイクロホンの通音口のそれぞれの回りに、弾性パッドを設けると良い。
【００１７】
外部スピーカと外部マイクロホンとは、イヤホンと小型マイクロホンとをセットにしたイヤホンマイクセットとすることができる。
【００１８】
【発明の実施の形態】
次に、本発明の実施の形態を図面に基づいて詳細に説明する。
【００１９】
図２は、従来提供されている折り畳み型携帯電話機の一例を示す。この携帯電話機１は、表裏のカバーで構成され、表カバーにキーボード２を配置した下部本体３と、同じく表裏のカバーで構成され、表カバーに液晶表示部４を設けた上部本体５とが、蝶番６にて連結され、上部本体５の表カバーには受話口７、下部本体３の表カバーには送話口８が形成されている。折り畳み型携帯電話機の中でも、受話口７と送話口８の距離は電話機により異なり、また折り畳みでない本体一体型の携帯電話機の中でも、受話口と送話口の距離は電話機により異なるが、図３に示す本発明の第１実施例のハンズフリー装置は、折り畳み型と本体一体型のいずれであっても、また受話口と送話口の距離が異なっていても、適応できるようになっている。
【００２０】
図３において、装置本体１０はブロック状の主従の本体１０Ａ・１０Ｂに分割され、これらは２本の間隔調整ネジ１１で連結されていて、間隔調整ネジ１１をその一端からドライバ等を用いて回すことにより、本体１０Ａ・１０Ｂの間隔を調整できるようになっている。
【００２１】
本体１０Ａ内には音声信号増幅回路１２が内蔵され、また電源接続コード１３が引き出されているとともに、外部スピーカ１４と外部マイクロホン１５とが接続コード１７にて本体１０Ａの前面のジャック１８に着脱自在に接続され、外部スピーカ１４と外部マイクロホン１５とは、本体１０Ａ内の音声信号増幅回路１２と電気接続される。
【００２２】
分割された２つの本体１０Ａ・１０Ｂの上面には、それぞれ中空の衝立１９Ａ・１９Ｂが立設され、衝立１９Ａ内には内部スピーカ２０、衝立１９Ｂ内には内部マイクロホン２１がそれぞれ内蔵され、それぞれの通音口の周囲に環状の弾性パッド２２が付着されている。内部スピーカ２０は、音声信号増幅回路１２を介して外部マイクロホン１５と電気接続され、内部マイクロホン２１は、音声信号増幅回路１２を介して外部スピーカ１４と電気接続される。
【００２３】
また、本体１０Ａ・１０Ｂのそれぞれ上面には、摺動台２３Ａ・２３Ｂが、それぞれの衝立１９Ａ・１９Ｂに向かって前後摺動自在に装着され、それぞれ前後調整ネジ２４により衝立１９Ａ・１９Ｂとの間隔を個別に調整できるようになっている。
【００２４】
これら摺動台２３Ａ・２３Ｂには、それぞれ開閉台板２５Ａ・２５Ｂが蝶番２６にて開閉自在に蝶着されている。開閉台板２５Ａは、起立させて衝立１９Ａの前面に添えると内部スピーカ２０の通音口を閉じ、また開閉台板２５Ｂは、起立させて衝立１９Ｂの前面に添えると内部マイクロホン２１の通音口を閉じる。一方、これら開閉台板２５Ａ・２５Ｂを開いて傾斜状態又は水平状態に保持すると、これらを端末支持台部として、その上に携帯電話機１を横向きして着脱自在に載置できる。その際、携帯電話機１の送話口８が内部スピーカ２０の通音口と対向し、携帯電話機１の受話口７が内部マイクロホン２１と対向するように、本体１０Ａ・１０Ｂの間隔を調整するとともに、摺動台２３Ａ・２３Ｂの前後方向の位置を調整する。
【００２５】
携帯電話機１をこのように開閉台板２５Ａ・２５Ｂ上に載置すると、図１に示すように、携帯電話機１で受信された受話口７からの音声は、内部マイクロホン２１にてキャッチされ、音声信号増幅回路１２にて増幅されて外部スピーカ１４にて再生される。一方、外部マイクロホン１５にてキャッチされた音声は、音声信号増幅回路１２にて増幅されて内部スピーカ２０で再生された後、携帯電話機１の送話口８から携帯電話機１に受信され、更に携帯電話機１から送信されるので、携帯電話機１を従来のように接続しなくとも、ハンズフリーの通話ができる。
【００２６】
図４は、図３に対する変形例で、イヤホン１４ａと小型マイクロホン１５ａとをセットにしたイヤホンマイクセット１６を用い、イヤホン１４ａを外部スピーカ、小型マイクロホン１５ａを外部マイクロホンとして使用するようにしたものである。
【００２７】
以上、本発明を折り畳み型携帯電話機用として具体化した実施例を示したが、一体型携帯電話機用とすること、更に折り畳み型と一体型の兼用とすることは、容易に対応可能である。また、本発明は携帯電話機に限らず、通話機能を有する携帯情報端末などの他の携帯通信端末にも適用できること勿論である。
【００２８】
【発明の効果】
以上説明したように本発明によれば、装置本体が２つの本体に分割され、これら２つの本体が間隔調整可能に連結されているとともに、これら本体の一方に前記内部スピーカ、他方に前記内部マイクロホンが分けて内蔵されているので、内部スピーカと内部マイクロホンとの間隔が調整可能であり、しかも内部スピーカと内部マイクロホンの通音口をそれぞれ開閉自在に覆い、開いたときに端末支持台部となる開閉台板が、分割された２つの本体にそれぞれ装着されているので、多様となっている携帯電話機の本体形状や入出力端子の形状やピン配置等に限定されることなく、携帯電話機等の携帯通信端末用のハンズフリー通話装置として、多種多様な携帯通信端末に対して共通して簡便に使用できる。
【図面の簡単な説明】
【図１】  本発明のハンズフリー通話装置の構成を示すブロック図である。
【図２】  従来の折り畳み型携帯電話機の一例を示し、（Ａ）は表面図、（Ｂ）は裏面図である。
【図３】  本発明の一実施例のハンズフリー通話装置の斜視図である。
【図４】  その変形例の斜視図である。
【図５】  従来のハンズフリー通話装置の一例の斜視図である。
【符号の説明】
１  携帯電話機
７  受話口
８  送話口
１０  装置本体
１０Ａ・１０Ｂ  主従の本体
１０Ｃ  装置本体
１１  間隔調整ネジ
１２  音声信号増幅回路
１４  外部スピーカ
１５  外部マイクロホン
１７  接続コード
２５Ａ・２５Ｂ  開閉台板
【図１】
0003781668.tif 000002
【図２】
0003781668.tif 000003
【図３】
0003781668.tif 000004
【図４】
0003781668.tif 000005
【図５】
0003781668.tif 000006